【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
光源と、
前記光源に対向する光入射面を有する光学部品と、
前記光源と前記光入射面との間に設けられた波長変換部材と
を備え、
前記波長変換部材は、前記光源から前記光入射面の端に入射する光の光路と前記光入射面とによって囲まれる領域を横断し、この領域を超えた外側の領域まで延在している
発光装置。
【請求項２】
前記波長変換部材を収容する容器を備えた
請求項１記載の発光装置。
【請求項３】
遮光部材を備え、
前記遮光部材は、前記光源から前記波長変換部材を経由せずに前記容器を通過して前記光学部品の前記光入射面に接する面に向かう光の光路上に設けられている
請求項２記載の発光装置。
【請求項４】
前記遮光部材は、前記光学部品の前記光入射面に接する面の端部を覆う遮光用クッションである
請求項３記載の発光装置。
【請求項５】
前記光学部品の前記光入射面に接する面に設けられた光学シートと、
前記光学シートを保持する枠状部材と
を備え、
前記遮光用クッションは、前記枠状部材と前記光学部品との間に挟まれている
請求項４記載の発光装置。
【請求項６】
前記光学シートは、前記枠状部材に関して前記遮光用クッションとは反対側に設けられている
請求項５記載の発光装置。
【請求項７】
前記容器を保持する固定部材を備え、
前記遮光部材は、前記固定部材に設けられた遮光用突起である
請求項３記載の発光装置。
【請求項８】
前記光学部品の前記光入射面に接する面に設けられた光学シートと、
前記光学シートを保持する枠状部材と
を備え、
前記遮光部材は、前記枠状部材に設けられた遮光用突起である
請求項３記載の発光装置。
【請求項９】
前記光源は点光源である
請求項１ないし８のいずれか１項に記載の発光装置。
【請求項１０】
前記波長変換部材は、蛍光物質を含む
請求項１ないし９のいずれか１項に記載の発光装置。
【請求項１１】
前記波長変換部材は、量子ドットを含む
請求項１ないし１０のいずれか１項に記載の発光装置。
【請求項１２】
前記光源は青色光源である
請求項１ないし１１のいずれか１項に記載の発光装置。
【請求項１３】
前記光源は、発光ダイオードにより構成されている
請求項１２記載の発光装置。
【請求項１４】
前記光学部品は、導光板であり、
前記光入射面は、前記導光板の端面である
請求項１ないし１３のいずれか１項に記載の発光装置。
【請求項１５】
液晶パネルと、前記液晶パネルの背面側の発光装置とを備え、
前記発光装置は、
光源と、
前記光源に対向する光入射面を有する光学部品と、
前記光源と前記光入射面との間に設けられた波長変換部材と
を備え、
前記波長変換部材は、前記光源から前記光入射面の端に入射する光の光路と前記光入射面とによって囲まれる領域を横断し、この領域を超えた外側の領域まで延在している
表示装置。
【請求項１６】
発光装置を備え、
前記発光装置は、
光源と、
前記光源に対向する光入射面を有する光学部品と、
前記光源と前記光入射面との間に設けられた波長変換部材と
を備え、
前記波長変換部材は、前記光源から前記光入射面の端に入射する光の光路と前記光入射面とによって囲まれる領域を横断し、この領域を超えた外側の領域まで延在している
照明装置。
【手続補正２】
【補正対象書類名】明細書
【補正対象項目名】０００７
【補正方法】変更
【補正の内容】
【０００７】
本開示の発光装置では、光源から発した光は、波長変換部材により波長変換され、光学部品の光入射面に入射し、光学部品内部を進み、光出射面から出射して、発光として観測される。ここでは、波長変換部材が、光源から光入射面の端に入射する光の光路と光入射面とによって囲まれる領域を横断し、この領域を超えた外側の領域まで延在している。よって、光源からの光のうち波長変換部材を通らない光、すなわち波長変換部材により波長変換されない光が少なくなる。
【手続補正３】
【補正対象書類名】明細書
【補正対象項目名】００１８
【補正方法】変更
【補正の内容】
【００１８】
導光板２０は、光源１０からの光を光入射面２０Ａから光出射面２０Ｂへと導くものであり、例えば、ポリカーボネート樹脂（ＰＣ）またはアクリル樹脂（例えば、ＰＭＭＡ（ポリメチルメタクリレート））などの透明熱可塑性樹脂を主に含んで構成されている。導光板２０は、例えば、前後方向（Ｚ方向）に対向する一対の主面（表面および裏面）と、これらに接する上下左右の四つの端面（側面）とからなる直方体形状を有している。
【手続補正４】
【補正対象書類名】明細書
【補正対象項目名】００６３
【補正方法】変更
【補正の内容】
【００６３】
前部筐体１２１は、液晶パネル１２２の前面周縁部を覆う枠状の金属部品である。液晶パネル１２２は、例えば、液晶セル１２２Ａと、ソース基板１２２Ｂと、これらを接続するＣＯＦ（Chip On Film）などの可撓性基板１２２Ｃとを有している。枠状部材８０は、液晶パネル１２２および光学シート５０を保持する枠状の樹脂部品である。後部筐体１２４は、液晶パネル１２２，枠状部材８０および発光装置１を収容する、鉄（Ｆｅ）等よりなる金属部品である。バランサー基板１２５は、発光装置１を制御するものであり、図１５に示したように、後部筐体１２４の背面に実装されると共にバランサーカバー１２６により覆われている。タイミングコントローラ基板１２７もまた、後部筐体１２４の背面に実装されている。
【手続補正５】
【補正対象書類名】明細書
【補正対象項目名】００８１
【補正方法】変更
【補正の内容】
【００８１】
なお、本技術は以下のような構成を取ることも可能である。
（１）
光源と、
前記光源に対向する光入射面を有する光学部品と、
前記光源と前記光入射面との間に設けられた波長変換部材と
を備え、
前記波長変換部材は、前記光源から前記光入射面の端に入射する光の光路と前記光入射面とによって囲まれる領域を横断し、この領域を超えた外側の領域まで延在している
発光装置。
（２）
前記波長変換部材を収容する容器を備えた
前記（１）記載の発光装置。
（３）
遮光部材を備え、
前記遮光部材は、前記光源から前記波長変換部材を経由せずに前記容器を通過して前記光学部品の前記光入射面に接する面に向かう光の光路上に設けられている
前記（２）記載の発光装置。
（４）
前記遮光部材は、前記光学部品の前記光入射面に接する面の端部を覆う遮光用クッションである
前記（３）記載の発光装置。
（５）
前記光学部品の前記光入射面に接する面に設けられた光学シートと、
前記光学シートを保持する枠状部材と
を備え、
前記遮光用クッションは、前記枠状部材と前記光学部品との間に挟まれている
前記（４）記載の発光装置。
（６）
前記光学シートは、前記枠状部材に関して前記遮光用クッションとは反対側に設けられている
前記（５）記載の発光装置。
（７）
前記容器を保持する固定部材を備え、
前記遮光部材は、前記固定部材に設けられた遮光用突起である
前記（３）記載の発光装置。
（８）
前記光学部品の前記光入射面に接する面に設けられた光学シートと、
前記光学シートを保持する枠状部材と
を備え、
前記遮光部材は、前記枠状部材に設けられた遮光用突起である
前記（３）記載の発光装置。
（９）
前記光源は点光源である
前記（１）ないし（８）のいずれか１項に記載の発光装置。
（１０）
前記波長変換部材は、蛍光物質を含む
前記（１）ないし（９）のいずれか１項に記載の発光装置。
（１１）
前記波長変換部材は、量子ドットを含む
前記（１）ないし（１０）のいずれか１項に記載の発光装置。
（１２）
前記光源は青色光源である
前記（１）ないし（１１）のいずれか１項に記載の発光装置。
（１３）
前記光源は、発光ダイオードにより構成されている
前記（１２）記載の発光装置。
（１４）
前記光学部品は、導光板であり、
前記光入射面は、前記導光板の端面である
前記（１）ないし（１３）のいずれか１項に記載の発光装置。
（１５）
液晶パネルと、前記液晶パネルの背面側の発光装置とを備え、
前記発光装置は、
光源と、
前記光源に対向する光入射面を有する光学部品と、
前記光源と前記光入射面との間に設けられた波長変換部材と
を備え、
前記波長変換部材は、前記光源から前記光入射面の端に入射する光の光路と前記光入射面とによって囲まれる領域を横断し、この領域を超えた外側の領域まで延在している
表示装置。
（１６）
発光装置を備え、
前記発光装置は、
光源と、
前記光源に対向する光入射面を有する光学部品と、
前記光源と前記光入射面との間に設けられた波長変換部材と
を備え、
前記波長変換部材は、前記光源から前記光入射面の端に入射する光の光路と前記光入射面とによって囲まれる領域を横断し、この領域を超えた外側の領域まで延在している
照明装置。